(57)【要約】【課題】ユーザが種類の異なるアプリ毎の個別の学習を必要することなく、また、アプリが増えた場合や、同時に複数のアプリと連携が必要な場合でも、煩わしい操作を強いることがないアプリ管理システムを提供する。【解決手段】ユーザがデータ作成アプリ１３に対して長押しを行うと、特定アプリ抽出手段５１は、このデータ作成アプリ１３に対応する特定アプリ１２を抽出して画面に表示する。ユーザが特定アプリ１２を選択すると、データ作成アプリ起動手段５２は、選択された特定アプリ１２を記憶して、データ作成アプリ１３を起動する。ユーザがデータ作成アプリ１３によってデータを作成し終えると、特定アプリ起動手段５３は、選択された特定アプリ１２を起動して、この作成されたデータを特定アプリ１２で扱えるようにする。【選択図】図２
2014048805.tif 000002
【特許請求の範囲】
【請求項１】
データを作成するためのデータ作成アプリと、このデータ作成アプリによって作成されたデータを扱うことが可能な特定のアプリとの関係を記憶する記憶手段と、
上記データ作成アプリに対して特定の起動操作を行うと、上記記憶手段からこのデータ作成アプリと関係する上記特定のアプリを抽出して、この特定のアプリを画面に表示する特定アプリ抽出手段と、
上記画面に表示された特定のアプリを選択すると、この選択された特定のアプリを記憶して、上記データ作成アプリを起動するデータ作成アプリ起動手段と、
上記データ作成アプリによってデータを作成し終えると、上記データ作成アプリ起動手段によって記憶された上記選択された特定のアプリを起動して、この作成されたデータをこの特定のアプリで扱えるようにする特定アプリ起動手段と
を備えることを特徴とするアプリ管理システム。
【請求項２】
請求項１に記載のアプリ管理システムにおいて、
上記特定のアプリは、複数あり、
上記データ作成アプリ起動手段は、上記画面に表示された特定のアプリを複数選択すると、この選択された複数の特定のアプリを、選択された順番に記憶して、上記データ作成アプリを起動し、
上記特定アプリ起動手段は、上記データ作成アプリによってデータを作成し終えると、上記選択された複数の特定のアプリを、選択された順番に起動して、この作成されたデータをこの複数の特定のアプリ毎で扱えるようにすることを特徴とするアプリ管理システム。
【請求項３】
画面上のアプリを接触により操作可能なタッチパネルと、
請求項１または２に記載の上記アプリ管理システムと
を備えることを特徴とする情報表示装置。
【請求項４】
データを作成するためのデータ作成アプリと、このデータ作成アプリによって作成されたデータを扱うことが可能な特定のアプリとの関係を記憶する記憶工程と、
上記データ作成アプリに対して特定の起動操作を行うと、上記記憶工程からこのデータ作成アプリと関係する上記特定のアプリを抽出して、この特定のアプリを画面に表示する特定アプリ抽出工程と、
上記画面に表示された特定のアプリを選択すると、この選択された特定のアプリを記憶して、上記データ作成アプリを起動するデータ作成アプリ起動工程と、
上記データ作成アプリによってデータを作成し終えると、上記データ作成アプリ起動工程によって記憶された上記選択された特定のアプリを起動して、この特定のアプリでこの作成されたデータを扱えるようにする特定アプリ起動工程と
を備えることを特徴とするアプリ管理方法。
【請求項５】
コンピュータを、
請求項１における上記記憶手段、上記特定アプリ抽出手段、上記データ作成アプリ起動手段および上記特定アプリ起動手段
として機能させることを特徴とするアプリ管理プログラム。
【請求項６】
請求項５に記載のアプリ管理プログラムが記録されたことを特徴とするコンピュータ読出し可能なプログラム記録媒体。
【発明の詳細な説明】
【技術分野】
【０００１】
この発明は、例えば、携帯電話、携帯情報端末（PDA: Personal Digital Assistant）等に用いられるアプリ管理システム、情報表示装置、アプリ管理方法、アプリ管理プログラムおよびプログラム記録媒体に関する。
【背景技術】
【０００２】
従来の情報端末では、アプリで作成したデータに対して何らかの処理を行う場合、まず、データを作成するアプリを起動してデータを作成し、その後、画面の切り替えを行って、複数のデータの中から作成されたデータを探し出し、所望の処理を行うアプリを起動していた。そのため、ユーザは、アプリの起動と終了を繰り返して、作成したデータや実行するアプリを探す必要があり、手間であった。
【０００３】
そこで、従来、連続したアプリの操作手順を簡略化するためのシステムが提案されている（特開２００６−７２４６６号公報：特許文献１）。このシステムでは、撮影時に情報端末を主に横向きで使用するという特性を利用して、撮影した画像の保存が終わると、情報端末の向きを検出して、自動的にメールアプリを起動している。そして、このシステムでは、種類の異なるアプリの起動を、それぞれ、情報端末の異なる姿勢に関連付けている。
【先行技術文献】
【特許文献】
【０００４】
【特許文献１】特開２００６−７２４６６号公報
【発明の概要】
【発明が解決しようとする課題】
【０００５】
しかしながら、上記従来のシステムでは、種類の異なるアプリの起動を、それぞれ、情報端末の異なる姿勢に関連付けているので、ユーザは、種類の異なるアプリごとの姿勢を学習する必要があり、面倒であった。また、ユーザが使い分けられる姿勢は、高々知れているため、アプリが増えた場合、この複数のアプリに対応することができなかった。
【０００６】
そこで、この発明の課題は、ユーザが種類の異なるアプリ毎の個別の学習を必要することなく、また、アプリが増えた場合や、同時に複数のアプリと連携が必要な場合でも、煩わしい操作を強いることがないアプリ管理システムを提供することにある。
【課題を解決するための手段】
【０００７】
上記課題を解決するため、この発明のアプリ管理システムは、
データを作成するためのデータ作成アプリと、このデータ作成アプリによって作成されたデータを扱うことが可能な特定のアプリとの関係を記憶する記憶手段と、
上記データ作成アプリに対して特定の起動操作を行うと、上記記憶手段からこのデータ作成アプリと関係する上記特定のアプリを抽出して、この特定のアプリを画面に表示する特定アプリ抽出手段と、
上記画面に表示された特定のアプリを選択すると、この選択された特定のアプリを記憶して、上記データ作成アプリを起動するデータ作成アプリ起動手段と、
上記データ作成アプリによってデータを作成し終えると、上記データ作成アプリ起動手段によって記憶された上記選択された特定のアプリを起動して、この作成されたデータをこの特定のアプリで扱えるようにする特定アプリ起動手段と
を備えることを特徴としている。
【０００８】
ここで、「特定の起動操作」とは、例えば、データ作成アプリのアイコンを一定時間以上押し続ける（長押しする）ことや、データ作成アプリのアイコンをマルチタッチすることをいう。
【０００９】
この発明のアプリ管理システムによれば、ユーザが、データ作成アプリに対して特定の起動操作を行うと、特定アプリ抽出手段は、このデータ作成アプリに対応する特定のアプリを抽出して画面に表示する。
【００１０】
そして、ユーザが、上記画面に表示された特定のアプリを選択すると、データ作成アプリ起動手段は、この選択された特定のアプリを記憶して、データ作成アプリを起動する。
【００１１】
そして、ユーザが、データ作成アプリによってデータを作成し終えると、特定アプリ起動手段は、上記選択された特定のアプリを起動して、この特定のアプリでこの作成されたデータを扱えるようにする。
【００１２】
このように、ユーザは、上記データ作成アプリの起動の際に、このデータ作成アプリで作成するデータを使用する特定のアプリを選択でき、その後、ユーザは、データ作成アプリでデータを作成し終えると、選択された特定のアプリが起動して、この作成されたデータをこの特定のアプリで扱うことができる。
【００１３】
したがって、ユーザは、種類の異なるアプリ毎に操作方法を学習する必要がなくなり、統一された操作方法にてアプリを連続して操作できる。また、アプリが増えた場合や、同時に複数のアプリと連携が必要な場合でも、ユーザは、単一のアプリの操作方法と同じ手順で、複数のアプリを起動できる。
【００１４】
また、一実施形態のアプリ管理システムでは、
上記特定のアプリは、複数あり、
上記データ作成アプリ起動手段は、上記画面に表示された特定のアプリを複数選択すると、この選択された複数の特定のアプリを、選択された順番に記憶して、上記データ作成アプリを起動し、
上記特定アプリ起動手段は、上記データ作成アプリによってデータを作成し終えると、上記選択された複数の特定のアプリを、選択された順番に起動して、この作成されたデータをこの複数の特定のアプリ毎で扱えるようにする。
【００１５】
この実施形態のアプリ管理システムによれば、ユーザが、画面に表示された特定のアプリを複数選択すると、データ作成アプリ起動手段は、上記選択された複数の特定のアプリを、選択された順番に記憶して、データ作成アプリを起動する。
【００１６】
そして、ユーザが、データ作成アプリによってデータを作成し終えると、特定アプリ起動手段は、上記選択された複数の特定のアプリを、選択された順番に起動して、この作成されたデータをこの複数の特定のアプリ毎で扱えるようにする。
【００１７】
したがって、アプリが増えたり、同時に複数のアプリと連携する必要があっても、ユーザは、単一のアプリの操作方法と同じ手順で、複数のアプリを、順番に起動できる。
【００１８】
また、一実施形態の情報表示装置では、
画面上のアプリを接触により操作可能なタッチパネルと、
上記アプリ管理システムと
を備える。
【００１９】
この実施形態の情報表示装置によれば、上記アプリ管理システムを備えるので、連続したアプリの操作を、簡略化できる。
【００２０】
また、この発明のアプリ管理方法は、
データを作成するためのデータ作成アプリと、このデータ作成アプリによって作成されたデータを扱うことが可能な特定のアプリとの関係を記憶する記憶工程と、
上記データ作成アプリに対して特定の起動操作を行うと、上記記憶工程からこのデータ作成アプリと関係する上記特定のアプリを抽出して、この特定のアプリを画面に表示する特定アプリ抽出工程と、
上記画面に表示された特定のアプリを選択すると、この選択された特定のアプリを記憶して、上記データ作成アプリを起動するデータ作成アプリ起動工程と、
上記データ作成アプリによってデータを作成し終えると、上記データ作成アプリ起動工程によって記憶された上記選択された特定のアプリを起動して、この特定のアプリでこの作成されたデータを扱えるようにする特定アプリ起動工程と
を備えることを特徴としている。
【００２１】
この発明のアプリ管理方法によれば、ユーザが、データ作成アプリに対して特定の起動操作を行うと、特定アプリ抽出工程にて、このデータ作成アプリに対応する特定のアプリを抽出して画面に表示する。
【００２２】
そして、ユーザが、上記画面に表示された特定のアプリを選択すると、データ作成アプリ起動工程にて、この選択された特定のアプリを記憶して、データ作成アプリを起動する。
【００２３】
そして、ユーザが、データ作成アプリによってデータを作成し終えると、特定アプリ起動工程にて、上記選択された特定のアプリを起動して、この特定のアプリでこの作成されたデータを扱えるようにする。
【００２４】
このように、ユーザは、上記データ作成アプリの起動の際に、このデータ作成アプリで作成するデータを使用する特定のアプリを選択でき、その後、ユーザは、データ作成アプリでデータを作成し終えると、選択された特定のアプリが起動して、この作成されたデータをこの特定のアプリで扱うことができる。
【００２５】
したがって、ユーザは、種類の異なるアプリ毎に操作方法を学習する必要がなくなり、統一された操作方法にてアプリを連続して操作できる。また、アプリが増えた場合や、同時に複数のアプリと連携が必要な場合でも、ユーザは、単一のアプリの操作方法と同じ手順で、複数のアプリを起動できる。
【００２６】
また、一実施形態のアプリ管理プログラムでは、
コンピュータを、
上記記憶手段、上記特定アプリ抽出手段、上記データ作成アプリ起動手段および上記特定アプリ起動手段
として機能させる。
【００２７】
また、一実施形態のプログラム記録媒体では、上記アプリ管理プログラムが記録されている。
【００２８】
この実施形態のアプリ管理プログラムおよびプログラム記録媒体によれば、コンピュータに対して、連続したアプリの操作を簡略化するように、コンピュータに命令できる。
【発明の効果】
【００２９】
この発明のアプリ管理システムおよびアプリ管理方法によれば、上記記憶手段（工程）と、上記特定アプリ抽出手段（工程）と、上記データ作成アプリ起動手段（工程）と、上記特定アプリ起動手段（工程）とを備えるので、ユーザが種類の異なるアプリ毎の個別の学習を必要することなく、また、アプリが増えた場合や、同時に複数のアプリと連携が必要な場合でも、煩わしい操作を強いることがない。
【図面の簡単な説明】
【００３０】
【図１】本発明の第１実施形態の情報表示装置を示す外観図である。
【図２】上記情報表示装置を示すブロック図である。
【図３】上記情報表示装置の動作を説明する説明図である。
【図４Ａ】上記情報表示装置の動作を説明する説明図である。
【図４Ｂ】上記情報表示装置の動作を説明する説明図である。
【図４Ｃ】上記情報表示装置の動作を説明する説明図である。
【図４Ｄ】上記情報表示装置の動作を説明する説明図である。
【図４Ｅ】上記情報表示装置の動作を説明する説明図である。
【図４Ｆ】上記情報表示装置の動作を説明する説明図である。
【図５Ａ】本発明の第２実施形態の情報表示装置の動作を説明する説明図である。
【図５Ｂ】上記情報表示装置の動作を説明する説明図である。
【図５Ｃ】上記情報表示装置の動作を説明する説明図である。
【図５Ｄ】上記情報表示装置の動作を説明する説明図である。
【図６Ａ】本発明の第３実施形態の情報表示装置の動作を説明する説明図である。
【図６Ｂ】上記情報表示装置の動作を説明する説明図である。
【図６Ｃ】上記情報表示装置の動作を説明する説明図である。
【図７Ａ】本発明の第４実施形態の情報表示装置の動作を説明する説明図である。
【図７Ｂ】上記情報表示装置の動作を説明する説明図である。
【図８】本発明の第５実施形態の情報表示装置の動作を説明する説明図である。
【発明を実施するための形態】
【００３１】
以下、この発明を図示の実施の形態により詳細に説明する。
【００３２】
（第１の実施形態）
図１は、この発明の第１実施形態の情報表示装置を示す簡略図である。図１に示すように、情報表示装置は、筺体１と、この筺体１の表面に配置されるタッチパネル２とを有する。この情報表示装置は、スマートフォン（商品名）（以下、端末装置という）を示す。
【００３３】
上記タッチパネル２は、表示機能と入力機能とを有し、タッチパネル２に表示されるアプリ等のタッチキーを、指でタッチすることにより、操作可能となっている。
【００３４】
上記タッチパネル２の下側には、通話用マイク５が配置され、タッチパネル２の上側には、通話用スピーカ６が配置されている。
【００３５】
図２は、上記端末装置のブロック図を示す。図２に示すように、上記端末装置は、アプリケーション群１０、ランチャーアプリ２０およびアプリ管理システム３０を有する。
【００３６】
上記アプリケーション群１０は、加工アプリ１１、送信アプリ１２およびデータ作成アプリ１３を有する。これらのアプリ１１，１２，１３は、予め端末装置に記憶され、または、ダウンロード等で後から端末装置に記憶される。
【００３７】
上記加工アプリ１１は、所定のデータを加工するためのアプリであり、画像編集アプリ１１ａや動画編集アプリ１１ｂ等が、ある。
【００３８】
上記送信アプリ１２は、所定のデータを送受信するためのアプリであり、メールアプリ１２ａやＳＮＳ（Social Networking Service：ソーシャル・ネットワーキング・サービス）アプリ１２ｂ等が、ある。
【００３９】
上記データ作成アプリ１３は、所定のデータを作成するためのアプリであり、カメラアプリ１３ａやボイスレコーダアプリ１３ｂ等が、ある。
【００４０】
そして、上記加工アプリ１１および上記送信アプリ１２は、上記データ作成アプリ１３によって作成されたデータを扱うことが可能となる。
【００４１】
上記ランチャーアプリ２０は、複数の所定のアプリをアイコンで一覧表示し、これらのアプリを所定の操作で起動できるようにするアプリである。
【００４２】
上記アプリ管理システム３０は、記憶手段の一例としての記憶部４０と、アプリを管理するアプリ管理部５０とを有する。
【００４３】
上記記憶部４０は、作成データ記憶領域４１と、アプリ情報記憶領域４２とを有する。上記作成データ記憶領域４１は、上記データ作成アプリ１３によって作成されたデータを記憶する。上記アプリ情報記憶領域４２は、アプリの情報を記憶し、データ作成アプリ１３と、データ作成アプリ１３によって作成されたデータを扱うことが可能な特定のアプリとの関係を記憶する。この特定のアプリとは、加工アプリ１１と送信アプリ１２である。
【００４４】
上記アプリ管理部５０は、特定アプリ抽出手段５１と、データ作成アプリ起動手段５２と、特定アプリ起動手段５３とを有する。
【００４５】
上記特定アプリ抽出手段５１と、上記データ作成アプリ１３に対して特定の起動操作を行うと、上記アプリ情報記憶領域４２からこのデータ作成アプリ１３と関係する上記特定のアプリ１１，１２を抽出して、この特定のアプリ１１，１２を画面に表示する。
【００４６】
上記データ作成アプリ起動手段５２は、画面に表示された特定のアプリ１１，１２を選択すると、この選択された特定のアプリ１１，１２を記憶して、上記データ作成アプリ１３を起動する。
【００４７】
上記特定アプリ起動手段５３は、データ作成アプリ１３によってデータを作成し終えると、上記データ作成アプリ起動手段５２によって記憶された上記選択された特定のアプリ１１，１２を起動して、この特定のアプリ１１，１２でこの作成されたデータを扱えるようにする。
【００４８】
具体的に述べると、上記特定アプリ起動手段５３は、データ作成アプリ１３によって作成したデータそのもの、もしくは、そのデータの情報（ファイルパスなど）、あるいは、その両方を特定のアプリ１１，１２に渡す。
【００４９】
図３は、上記端末装置のフローを説明する。図３に示すように、ランチャーアプリ２０は、複数の所定のアプリを一覧表示し（ステップＳ１）、ユーザは、データ作成アプリ１３であるカメラアプリ１３ａを通常の選択方法とは違う特定の選択方法で、選択する（ステップＳ２）。
【００５０】
つまり、図４Ａに示すように、タッチパネル２の画面に、複数のアプリをアイコンで表示し、ユーザは、カメラアプリのアイコンを一定時間以上押し続けて（長押しして）、このカメラアプリを選択する。なお、通常の選択方法であるワンタッチでは、カメラアプリのみが、起動する。
【００５１】
すると、ランチャーアプリ２０からアプリ管理システム３０へ、カメラアプリ１３ａで作成されるデータを扱える起動可能なアプリを、問い合わせて要求し（ステップＳ３）、アプリ管理システム３０は、起動可能なアプリを探し出してこの結果をランチャーアプリ２０に返却し（ステップＳ４）、この起動可能なアプリである送信アプリおよび加工アプリを、ランチャーアプリ２０にて、一覧表示する（ステップＳ５）。
【００５２】
つまり、図４Ｂに示すように、タッチパネル２の画面の最前面に、送信アプリの一覧と加工アプリの一覧とを、同時に表示する。
【００５３】
それから、ユーザは、送信アプリのメールアプリを（図４Ｂに示す）タッチをすることで、メールアプリを選択すると（ステップＳ６）、アプリ管理システム３０は、ランチャーアプリ２０から選択されたメールアプリを通知され（ステップＳ７）、このメールアプリを記憶してから、カメラアプリ１３ａを起動させる（ステップＳ８）。すると、カメラアプリ１３ａは、カメラを起動して（ステップＳ９）、ユーザは、画像の撮影を行う（ステップＳ１０）。
【００５４】
つまり、図４Ｃに示すように、タッチパネル２の画面に、カメラアプリ１３ａの撮影ボタンのアイコンが表示され、ユーザは、この撮影ボタンをタッチすることで、画像の撮影を行う。
【００５５】
そして、画像を撮影すると、画像が記憶部４０に保存される（ステップＳ１１）。つまり、図４Ｄに示すように、タッチパネル２の画面に、「保存中」の文字が表示された後に、図４Ｅに示すように、「保存完了」の文字が表示される。
【００５６】
そして、カメラアプリ１３ａからアプリ管理システム３０へ、画像の保存が完了したことを通知すると（ステップＳ１２）、アプリ管理システム３０は、ステップＳ７で記憶したメールアプリ１２ａを起動させる（ステップＳ１３）。すると、メールアプリ１２ａは、メールを起動して（ステップＳ１４）、カメラで撮影した画像の取り扱いが可能となる。
【００５７】
つまり、図４Ｅに示すように、カメラアプリ１３ａでの「保存完了」の表示後、直ちに、図４Ｆに示すように、メールアプリ１２ａの画面に切り替わって、カメラで撮影した画像が、添付ファイルとして、メールに添付された状態となる。
【００５８】
上記構成のアプリ管理システム３０によれば、ユーザが、データ作成アプリ１３に対して特定の起動操作（長押し）を行うと、特定アプリ抽出手段５１は、このデータ作成アプリ１３に対応する特定のアプリ（加工アプリ１１、送信アプリ１２）を抽出して画面に表示する。
【００５９】
そして、ユーザが、上記画面に表示された特定のアプリ（送信アプリ１２）を選択すると、データ作成アプリ起動手段５２は、この選択された特定のアプリ１２を記憶して、データ作成アプリ１３を起動する。
【００６０】
そして、ユーザが、データ作成アプリ１３によってデータを作成し終えると、特定アプリ起動手段５３は、上記選択された特定のアプリ１２を起動して、この作成されたデータをこの特定のアプリ１２で扱えるようにする。
【００６１】
このように、ユーザは、上記データ作成アプリ１３の起動の際に、このデータ作成アプリ１３で作成するデータを使用する特定のアプリ１２を選択でき、その後、ユーザは、データ作成アプリ１３でデータを作成し終えると、選択された特定のアプリ１２が起動して、この作成されたデータをこの特定のアプリ１２で扱うことができる。
【００６２】
したがって、ユーザは、種類の異なるアプリ毎に操作方法を学習する必要がなくなり、統一された操作方法にてアプリを連続して操作できる。また、アプリが増えた場合や、同時に複数のアプリと連携が必要な場合でも、ユーザは、単一のアプリの操作方法と同じ手順で、複数のアプリを起動できる。
【００６３】
また、上記アプリ管理システム３０が全てを担うため、既存のアプリを改修することなく本効果を適用できるだけでなく、データの作成終了（保存完了）を契機に連携先を起動できて、本来連携機能を持たないデータ作成アプリでも、あたかも連携機能を備えたかのような動作を実現できる。
【００６４】
上記構成の端末装置によれば、上記アプリ管理システム３０を備えるので、連続したアプリの操作を、簡略化できる。
【００６５】
（第２の実施形態）
図５Ａ〜図５Ｄは、この発明の第２実施形態のアプリ管理システムおよび情報表示装置の動作を説明する説明図である。この第２の実施形態は、上記第１の実施形態（図４Ｂ）とは、送信アプリおよび加工アプリの表示方法のみが相違する。この相違する部分のみを以下に説明する。
【００６６】
この第２実施形態では、図５Ａに示すように、タッチパネル２の画面に、複数のアプリをアイコンで表示し、ユーザは、カメラアプリのアイコンを一定時間以上押し続けて（長押しして）、このカメラアプリを選択する。
【００６７】
すると、図５Ｂに示すように、タッチパネル２の画面の最前面に、送信アプリのアイコンと加工アプリのアイコンを同時に表示する。こうすることにより、送信アプリの一覧と加工アプリの一覧とを、一画面に同時に表示できない場合に、有効となる。
【００６８】
それから、ユーザは、図５Ｃに示すように、送信アプリをタッチすることで、図５Ｄに示すように、送信アプリの一覧を表示する。なお、加工アプリをタッチすると、加工アプリの一覧を表示する。
【００６９】
その後、ユーザは、所望のアプリを選択することで、上記アプリ管理システムは、上記第１の実施形態で説明した動作を行う。
【００７０】
（第３の実施形態）
図６Ａ〜図６Ｃは、この発明の第３実施形態のアプリ管理システムおよび情報表示装置の動作を説明する説明図である。この第３の実施形態は、上記第１の実施形態（図４Ｂ）とは、送信アプリおよび加工アプリの表示方法のみが相違する。この相違する部分のみを以下に説明する。
【００７１】
この第３実施形態では、図６Ａに示すように、タッチパネル２の画面に、複数のアプリをアイコンで表示し、ユーザは、カメラアプリのアイコンを一定時間以上押し続けて（長押しして）、このカメラアプリを選択する。
【００７２】
すると、図６Ｂに示すように、タッチパネル２の画面の最前面に、送信アプリの一覧を表示する。さらに、ユーザは、図６Ｃに示すように、カメラアプリの長押しを継続することで、送信アプリの一覧から変更して、加工アプリの一覧を表示する。
【００７３】
その後、ユーザは、所望のアプリを選択することで、上記アプリ管理システムは、上記第１の実施形態で説明した動作を行う。
【００７４】
（第４の実施形態）
図７Ａと図７Ｂは、この発明の第４実施形態のアプリ管理システムおよび情報表示装置の動作を説明する説明図である。この第４の実施形態は、上記第１の実施形態（図４Ａ）とは、送信アプリおよび加工アプリ（特定のアプリ）を表示するためのカメラアプリ（データ作成アプリ）の特定の起動操作のみが相違する。この相違する部分のみを以下に説明する。
【００７５】
この第４実施形態では、図７Ａに示すように、タッチパネル２の画面に、複数のアプリをアイコンで表示し、ユーザは、カメラアプリのアイコンを、マルチタッチすることで、このカメラアプリを選択する。
【００７６】
すると、図７Ｂに示すように、タッチパネル２の画面の最前面に、送信アプリの一覧と加工アプリの一覧とを表示する。
【００７７】
その後、ユーザは、所望のアプリを選択することで、上記アプリ管理システムは、上記第１の実施形態で説明した動作を行う。
【００７８】
（第５の実施形態）
図８は、この発明の第５実施形態のアプリ管理システムおよび情報表示装置の動作を説明するフローチャートである。この第５の実施形態は、上記第１の実施形態とは、複数の特定アプリ（送信アプリ、加工アプリ）を選択できる構成のみが相違する。
【００７９】
この第５実施形態では、図８に示すように、ユーザがアプリを選択するとき（ステップＳ２１）、この選択の動作がアイコンの長押しであって（ステップＳ２２）、かつ、この選択されたアプリがデータを作成するデータ作成アプリであると（ステップＳ２３）、特定アプリとしての送信アプリ（又は／及び加工アプリ）の一覧を表示する（ステップＳ２５）。一方、この選択の動作がアイコンの長押しでなく（ステップＳ２２）、または、この選択されたアプリがデータ作成アプリでないと（ステップＳ２３）、選択されたアプリを起動する（ステップＳ２４）。
【００８０】
そして、特定アプリとしての送信アプリの一覧を表示し（ステップＳ２５）、ユーザが特定アプリを選択し（ステップＳ２６）、この選択動作がアイコンの長押しである場合（ステップＳ２７）、再度、特定アプリを表示する（ステップＳ２５）。
【００８１】
そして、ユーザが、再度、異なる特定アプリを選択し（ステップＳ２６）、この選択動作がアイコンの長押しでなくて通常のタッチである場合（ステップＳ２７）、データ作成アプリ起動手段５２（図２参照）は、この選択された複数の特定アプリを、選択された順番に記憶領域に記憶して（ステップＳ２８）、ステップＳ２１で選択されたデータ作成アプリを起動する（ステップＳ２９）。
【００８２】
一方、ステップＳ２６で、特定アプリが選択されないと、ステップＳ２９で、データ作成アプリを起動する。
【００８３】
また、ステップＳ２７で、アイコンを長押しする場合、何度でも、異なる特定アプリを選択できる。なお、アイコンの長押しでなく、アイコンをマルチタッチしてもよい。ステップＳ２５で、特定アプリとして、送信アプリ又は（及び）加工アプリの一覧を表示するようにしてもよい。
【００８４】
その後、データ作成アプリによってデータを作成し終え、記憶部４０（図２参照）でこのデータを保存すると（ステップＳ３０）、特定アプリ起動手段５３（図２参照）は、ステップＳ２６で選択されかつステップＳ２８で保存された複数の特定のアプリを、選択された順番に起動して（ステップＳ３１）、この作成されたデータをこの複数の特定のアプリ毎で扱えるようにする。
【００８５】
この第５実施形態のアプリ管理システムによれば、ユーザが、画面に表示された特定アプリを複数選択すると、データ作成アプリ起動手段５２は、上記選択された複数の特定アプリを、選択された順番に記憶して、データ作成アプリを起動する。
【００８６】
そして、ユーザが、データ作成アプリによってデータを作成し終えると、特定アプリ起動手段５３は、上記選択された複数の特定のアプリを、選択された順番に起動して、この作成されたデータをこの複数の特定のアプリ毎で扱えるようにする。
【００８７】
したがって、アプリが増えたり、同時に複数のアプリと連携する必要があっても、ユーザは、単一のアプリの操作方法と同じ手順で、複数のアプリを、順番に起動できる。
【００８８】
なお、この発明は上述の実施形態に限定されない。例えば、上記第１から上記第５の実施形態のそれぞれの特徴点を様々に組み合わせてもよい。
【００８９】
上記実施形態では、情報表示装置として、スマートフォンを説明したが、電子辞書や、パソコンや、携帯電話や、携帯情報端末（PDA: Personal Digital Assistant）等の携帯情報表示装置であってもよい。
【００９０】
なお、本発明のアプリ管理方法として、上記実施形態で説明した上記アプリ管理システムの動作と同じであり、記憶工程（つまり、記憶手段）と、特定アプリ抽出工程（つまり、特定アプリ抽出手段）と、データ作成アプリ起動工程（つまり、データ作成アプリ起動手段）と、特定アプリ起動工程（つまり、特定アプリ起動手段）とを備える。これにより、上記実施形態で説明した上記アプリ管理システムの効果と同じ効果を奏する。
【００９１】
また、本発明のアプリ管理プログラムとして、コンピュータを、上記記憶手段、上記特定アプリ抽出手段、上記データ作成アプリ起動手段および上記特定アプリ起動手段として機能させるようにしてもよい。また、本発明のプログラム記録媒体として、上記アプリ管理プログラムを記録するようにしてもよい。したがって、連続したアプリの操作を簡略化するように、コンピュータに命令できる。
【符号の説明】
【００９２】
１  筺体
２  タッチパネル
１１  加工アプリ（特定のアプリ）
１２  送信アプリ（特定のアプリ）
１３  データ作成アプリ
３０  アプリ管理システム
４０  記憶部（記憶手段）
４１  作成データ記憶領域
４２  アプリ情報記憶領域
５０  アプリ管理部
５１  特定アプリ抽出手段
５２  データ作成アプリ起動手段
５３  特定アプリ起動手段
【図１】
2014048805.tif 000003
【図２】
2014048805.tif 000004
【図３】
2014048805.tif 000005
【図４Ａ】
2014048805.tif 000006
【図４Ｂ】
2014048805.tif 000007
【図４Ｃ】
2014048805.tif 000008
【図４Ｄ】
2014048805.tif 000009
【図４Ｅ】
2014048805.tif 000010
【図４Ｆ】
2014048805.tif 000011
【図５Ａ】
2014048805.tif 000012
【図５Ｂ】
2014048805.tif 000013
【図５Ｃ】
2014048805.tif 000014
【図５Ｄ】
2014048805.tif 000015
【図６Ａ】
2014048805.tif 000016
【図６Ｂ】
2014048805.tif 000017
【図６Ｃ】
2014048805.tif 000018
【図７Ａ】
2014048805.tif 000019
【図７Ｂ】
2014048805.tif 000020
【図８】
2014048805.tif 000021